(57)【要約】【課題】簡易な構成を備え、既存の弁の開閉軸に容易に取り付けることができるバルブ開度表示装置を提供する。【解決手段】  回転により弁の開閉操作を行う既設の弁操作軸３に対して着脱自在であり、当該弁操作軸３の回転に同期して当該回転の回転量に応じた物理的運動を生じさせる指標歯１５と、指標歯１５に生ずる物理的運動に応じた量だけ状態変化、つまり回転する平歯車１２とを設け、平歯車１２には弁操作軸３の回転数を表示する回転数表示１３を指標歯１５に指し示されるように付しておき、平歯車１２の回転によって指標歯１５が指し示す回転数表示１３の回転数を弁操作軸３の回転数に合致させるようにした。【選択図】図２
2007218316.tif 000002
【特許請求の範囲】
【請求項１】
回転により弁の開閉操作を行う既設の弁操作軸に対して着脱自在であり、当該弁操作軸の回転に同期して当該回転の回転量に応じた物理的運動を生じさせる回転駆動部と、
前記回転駆動部に生ずる物理的運動に応じた量だけ状態変化を生ずる状態変化部と、
前記弁操作軸の回転数を表示する回転数表示と、この回転数表示に含まれている前記弁操作軸の回転数を指し示す指標とを備え、前記状態変化部に生ずる状態変化によって前記指標が指し示す前記回転数表示の回転数を前記弁操作軸の回転数に合致させて変化させる回転数表示部と、
を備えることを特徴とするバルブ開度表示装置。
【請求項２】
前記状態変化部は、回転自在の平歯車を有し、
前記回転駆動部は、前記軸が１回転する度に前記平歯車の歯に接触して歯車を１歯分送る指標歯を有する送り機構を有し、
前記回転数表示部は、前記指標歯を前記指標として有し、前記平歯車の個々の歯に対応させて記された前記弁操作軸の回転数を表わす数字を前記回転数表示として有する、
ことを特徴とする請求項１記載のバルブ開度表示装置。
【請求項３】
前記状態変化部は、前記弁操作軸と平行に立設されて外周面に雄ネジ部を有する軸と、前記雄ネジ部に螺合して回転駆動されることで前記軸の軸方向に沿って移動する平歯車とを有し、
前記回転駆動部は、前記軸が１回転する度に前記平歯車の歯に接触して歯車を１歯分送る指標歯を有する送り機構を有し、
前記回転数表示部は、前記平歯車の外周部分を前記指標として有し、回転駆動されて移動する前記平歯車の外周部分である前記指標に指し示されるように当該平歯車の移動方向に沿って配列された前記弁操作軸の回転数を表わす数字を前記回転数表示として有する、
ことを特徴とする請求項１記載のバルブ開度表示装置。
【請求項４】
前記状態変化部は、前記弁操作軸の軸方向に沿って移動自在に設けられた移動体であり、
前記回転駆動部は、前記弁操作軸の回転運動を前記移動体の直線移動運動に変換する変換機構であり、
前記回転数表示部は、前記弁操作軸に当該弁操作軸の軸方向への移動を規制された状態で取り付けられた前記指標と、前記移動体に付された前記回転数表示とを含む、
請求項１記載のバルブ開度表示装置。
【請求項５】
前記変換機構は、前記弁操作軸に取り付けられたウォームギヤと、前記移動体に設けられて前記ウォームギヤに螺合するラックとによって構成されている、請求項４記載のバルブ開度表示装置。
【請求項６】
前記状態変化部は、前記弁操作軸の軸方向に沿って移動自在に設けられた移動体であり、
前記回転駆動部は、前記弁操作軸の回転運動を前記移動体の直線移動運動に変換する変換機構であり、
前記回転数表示部は、前記移動体に付された前記指標と、前記移動体の移動に伴う当該指標の移動軌跡に沿って位置付けられた前記回転数表示とを含む、
請求項１記載のバルブ開度表示装置。
【請求項７】
既設の弁操作軸の周囲に所定回数渦巻状に巻き形成され、前記弁操作軸の回転動作により回転しない状態で固定される渦巻状部材と、
前記弁操作軸に着脱自在に取り付けられて当該弁操作軸の回転に従って回転し、前記渦巻状部材の巻き形成されて隣り合う薄板材の間に配置され、前記弁操作軸の回転に従って前記渦巻状部材の所定位置に移動して、前記弁操作軸の開度を示す指標部材と、
前記渦巻状部材の１周毎に前記指標部材に指し示される位置に付された前記弁操作軸の回転数を表示する回転数表示と、
を備えることを特徴とするバルブ開度表示装置。
【請求項８】
既設の弁操作軸の周囲に所定回数渦巻状に巻き形成され、前記弁操作軸に着脱自在に取り付けられる渦巻状部材と、
前記弁操作軸の回転動作により回転しない状態で固定され、前記渦巻状部材の巻き形成されて隣り合う薄板材の間に配置され、前記弁操作軸の回転に従って前記渦巻状部材の所定位置に移動して、前記弁操作軸の開度を示す指標部材と、
前記渦巻状部材の１周毎に前記指標部材に指し示される位置に付された前記弁操作軸の回転数を表示する回転数表示と、
を備えることを特徴とするバルブ開度表示装置。
【発明の詳細な説明】
【技術分野】
【０００１】
本発明は、バルブ開度表示装置に係り、特に、回転により弁の開閉操作を行う弁操作軸の開度を表示するバルブ開度表示装置に関する。
【背景技術】
【０００２】
例えば、水力発電所には、下流の灌漑のための貯水池があり、この貯水池には取水口が設けられており、この取水口には弁である灌漑用バルブが配置されている。このような貯水池においては、貯水池の貯水量の程度に応じてバルブを開閉操作し、常に適正な量の灌漑水を取水口から取り入れるようにしている。
【０００３】
このような灌漑用バルブは、担当作業者が例えば１日数回操作するものとされており、その日の貯水池の貯水量に応じてバルブの弁操作軸に取り付けられたハンドルを回転することにより操作される。このようなバルブにおいて、ハンドルは例えば全閉から全開に至るまでに相当数回転させる必要がある。この回転数は、一例として３０回転程度である。
【０００４】
ところが、バルブの開度は外観で観察できるハンドル位置だけでは分からない。そこで、バルブの開度を目視確認できる装置が望まれる。特許文献１には、バルブの弁棒に接続する継軸シャフトにギヤを介してポテンショメータを接続して検知手段とし、この検知手段と回転数を表示する開度表示器とを分離して配置し、これらを電気的に接続したバルブ開度計が記載されている。
【０００５】
【特許文献１】特開２００３−０４２３３６公報
【発明の開示】
【発明が解決しようとする課題】
【０００６】
しかしながら、上述したバルブ開度計にあっては、バルブに予め開度計を備える構成となっているため、既に配置されている既存の弁やハンドルには簡単に取り付けることができない。
【０００７】
そこで本発明は、簡易な構成を備え、既存の弁の開閉軸に容易に取り付けることができるバルブ開度表示装置を提供することを目的とする。
【課題を解決するための手段】
【０００８】
本発明のバルブ開示表示装置は、回転により弁の開閉操作を行う既設の弁操作軸に対して着脱自在であり、当該弁操作軸の回転に同期して当該回転の回転量に応じた物理的運動を生じさせる回転駆動部と、前記回転駆動部に生ずる物理的運動に応じた量だけ状態変化を生ずる状態変化部と、前記弁操作軸の回転数を表示する回転数表示と、この回転数表示に含まれている前記弁操作軸の回転数を指し示す指標とを備え、前記状態変化部に生ずる状態変化によって前記指標が指し示す前記回転数表示の回転数を前記弁操作軸の回転数に合致させて変化させる回転数表示部と、を備える。
【発明の効果】
【０００９】
本発明に係るバルブ開度表示装置は、簡易な構成を備え、既存の弁の開閉軸に容易に取り付けることができ、弁の開度を明瞭に表示することができるという効果がある。
【発明を実施するための最良の形態】
【００１０】
［第１の実施の形態］
本発明の第１の実施の形態を図１ないし図３に基づいて説明する。
【００１１】
図１は、バルブ開度表示装置の正面図である。図２は、図１に示したバルブ開度表示装置の平面図である。図３は、図１に示したバルブ開度表示装置が備える平歯車の拡大平面図である。
【００１２】
地表面Ｇの下方に取水調整用の弁１が取り付けられた灌漑用水管２が埋設され、弁１の開度を調整する弁操作軸３が地表面Ｇから突設され、その上端部には環状のハンドル４が取り付けられている。本実施の形態では、既設設備である弁１の弁操作軸３に後付けの開度表示装置１０を設置して、弁１の開度を明確に表示できるようにしている。
【００１３】
ここで、本実施の形態において、弁１の全閉と全開との間のハンドル４、つまり弁操作軸３の回転数は、３０である。弁操作軸３が３０回転することで、弁１は全閉状態から全開状態に、あるいは全開状態から全閉状態に、状態遷移する。
【００１４】
開度表示装置１０は、弁操作軸３に近接して地表面Ｇから立設された軸１１と、この軸１１に固定された状態変化部としての平歯車１２とから構成されている。平歯車１２は、弁操作軸３の回転数に相当する歯数を備え、かつ、弁操作軸３の回転数を示す数字からなる回転数表示１３の表記を有している。つまり、平歯車１２は、図３に示すように、歯数が３０であり、その表面に付された回転数表示１３は、０回転を示す「０」から２９回転を示す「２９」までの数字となっている。これらの数字は、平歯車１２の個々の歯に対応させた位置に表記されている。
【００１５】
また、平歯車１２は、設置されている貯水池の貯水量に対応する最適開度位置を示す開度位置表示１４の表記をも有している。本実施の形態では、水位３．００ｍ、２．００ｍ、１．００ｍ及び０．５０ｍに対応する個所に、その開度位置表示１４が記載されている。なお、平歯車１２における開度位置表示１４の記載位置は、設置される貯水池の実際の状況により経験的に定める必要がある。
【００１６】
本実施の形態では、図２及び図３に示すように、弁操作軸３に回転駆動部（送り機構）及び回転数表示部の指標としてのピン形状の指標歯１５が取り付けられている。指標歯１５は、同様に回転駆動機構（送り機構）を構成する取付部１６を介して、弁操作軸３との間で相対回転しないように固定されている。指標歯１５は、平歯車１２の歯に間欠的に係合し、弁操作軸３が１回転する度に平歯車１２の歯を１つ送る送り機構として構成されている。なお、回転駆動機構としての送り機構は、ピン形状の指標歯１５に限らず、平歯車１２と同じモジュールであり歯数を１つとした歯車等であっても良い。
【００１７】
ここで重要なことは、指標歯１５が回転数表示１３の数字を指し示すということである。この場合、弁１が全閉状態である場合、弁操作軸３の回転が全閉位置を示す数字「０」の位置を指標歯１５が指し示し、弁１を開く方向への弁操作軸３の１回転に伴いその数字が１つずつ増加し、弁１が全開状態となった場合には、数字「３０」を通り越して再び「０」の位置を指標歯１５が指す。
【００１８】
以上より、本実施の形態では、回転数表示１３と指標歯１５とを主体として回転数表示部が構成されている。
【００１９】
このような構成において、作業者は貯水池の水位に応じてハンドル４を回転させる。すると、弁操作軸３が回転し、これに応じて指標歯１５が弁操作軸３の回転と同一回転数で回転する。指標歯１５が回転すると、平歯車１２との係合位置で指標歯１５は平歯車１２に係合し、平歯車１２を１歯送る分だけ回動させる。これにより、平歯車１２では回転数表示１３の数字が１つだけ増減され、平歯車１２が開度表示装置１０としての機能を発揮する。
【００２０】
したがって、本実施の形態によれば、作業者がハンドル４を操作して設定した現在の開度が平歯車１２の回転数表示１３を指標歯１５が指し示すことで表示されるので、この表示によって現在の弁１の開度を知ることができる。そこで、作業者は貯水池の水位に応じてハンドルを回転するに際して、弁操作軸３の回転数を認識し易いほか、現在の弁操作軸３の回転数を正確に認識することができる。
【００２１】
また、本実施の形態では、貯水池の水位に合わせて平歯車１２上の開度位置表示１４が指標歯１５によって指し示される位置に位置付けられるようにハンドル４を回転させるだけで、貯水池の水位に適合するよう弁１を調整することができる。
【００２２】
更に、本実施の形態では、既設設備である弁１の弁操作軸３に対して、取付部１６及び指標歯１５からなる送り機構としての回転駆動部を取り付け、地表面Ｇに軸１１及び平歯車１２からなる回転数表示部を設け、これによってバルブ開度表示装置１０を簡易に得ることができる。つまり、既設の弁１や弁操作軸３を交換することなく、容易に開度表示装置１０を設置することができる。
【００２３】
［第２の実施の形態］
本発明の第２の実施の形態を図４に基づいて説明する。第１の実施の形態と同一部分は同一符号で示し説明も省略する。
【００２４】
図４は、バルブ開度表示装置２０の正面図である。開度表示装置２０は、軸２１に取り付けられた状態変化部としての平歯車２２の高さ位置によって、弁１の開度を表示する構造を有している。つまり、地表面Ｇには雄ネジ部２３が形成された軸２１が立設され、この軸２１に歯数が３０個である平歯車２２が螺合している。したがって、平歯車２２は、その回動に従い軸２１に沿って上下動する。
【００２５】
平歯車２２の隣接位置には、平歯車２２が０回転から３０回転のどの位置にあるかを表示する数字を有する回転数表示２４が付された表示板２５が地表面Ｇから立設配置されている。表示板２５に付された回転数表示２４の数字は、弁操作軸３の回転数を表わしている。つまり、表示板２５において、平歯車２２から水平線を延ばした位置の回転数表示２４の数字が弁操作軸３の回転数を表わすように、各部が構成されている。
【００２６】
回転駆動部は、上下方向に長い板状部材によって形成された回転数表示部の指標としての指標歯２６が弁操作軸３に取り付けられて構成されている。つまり、弁操作軸３には、取付部２７を介して指標歯２６が固定されている。指標歯２６は、第１の実施の形態の指標歯１５と同様に、平歯車２２と係合し、弁操作軸３の１回転で平歯車２２を１歯送る構造を有している。
【００２７】
以上より、本実施の形態では、回転数表示２４と指標歯２６とを主体として回転数表示部が構成されている。
【００２８】
このような構成において、作業者は貯水池の水位に応じてハンドル４を回転させる。すると、弁操作軸３が回転し、これに応じて指標歯２６が弁操作軸３の回転と同一回転数で回転する。これにより、指標歯２６が平歯車２２に係合し、平歯車２２を１歯送る分だけ回動させる。すると、平歯車２２は軸２１に沿って上下動し、表示板２５に付された回転数表示２４の数字を指し示す位置を変化させる。前述したように、平歯車２２から水平線を延ばした位置の数字が弁操作軸３の回転数を表わしている。これにより、平歯車２２は開度表示装置２０としての機能を発揮する。
【００２９】
［第３の実施の形態］
本発明の第３の実施の形態を図５に基づいて説明する。第１の実施の形態と同一部分は同一符号で示し説明も省略する。
【００３０】
図５は、バルブ開度表示装置５０を示す正面図である。開度表示装置５０は、弁操作軸３にスライド自在で上下動自在に取り付けられた表示板５１と、この表示板５１に固定されたラック５２と、弁操作軸３に固定的に取り付けられてラック５２に噛み合うウォームギヤ５３と、弁操作軸３に回転自在に取り付けられた指標５４とによって構成されている。
【００３１】
移動体としての表示板５１は、前述したように、弁操作軸３にスライド自在で上下動自在に取り付けられている。その取り付け構造としては、弁操作軸３を嵌合させるリング状の保持リング５５を上下に一つずつ備え、これらの保持リング５５に弁操作軸３を嵌合させた構造となっている。保持リング５５は、例えば分割構造を備え、これによって既設の弁操作軸３を容易に嵌合させ得る。また、表示板５１は、地表面から弁操作軸３と平行に立設された棒材５６をキャッチャ５７でスライド自在にキャッチしており、これによって、弁操作軸３の周囲を回転することなく上下動するように構成されている。
【００３２】
指標５４は、弁操作軸３に一定の高さで回転自在に取り付けられている。その取り付けは、例えば弁操作軸３と指標５４との接合面における嵌合構造等によってなされている。そして、指標５４は、表示板５１の表面を覆う透明なアクリル板５８と表示板５１との間に位置付けられている。これにより、指標５４は、弁操作軸３が回転しても回動せず、その高さも変化させないように位置保持されている。
【００３３】
ウォームギヤ５３は、弁操作軸３に一定の高さで固定されている。弁操作軸３とウォームギヤ５３とは相対回転しない構造である。したがって、ウォームギヤ５３は、弁操作軸３が回転してもその高さを変化させない。このようなウォームギヤ５３としては、ウォームギヤが用いられており、前述したように、回転駆動部を構成するもう１つの構成要素であるラック５２と噛み合う構造となっている。したがって、弁操作軸３の回転に伴うウォームギヤ５３の回転動作に伴い、このウォームギヤ５３に噛み合うラック５２、つまりは表示板５１が上下動することになる。この際、弁操作軸３、つまりウォームギヤ５３が１回転すると、ラック５２の歯は１つ分送られるように設定されている。
【００３４】
そして、表示板５１には、「０」から「３０」までの数字からなる回転数表示５９が表記されている。この回転数表示５９は、ラック５２の歯１つ分のピッチで割り振られている。そして、ここで重要なことは、弁１が全閉状態である場合、指標５４の位置に「０」の回転数表示５９が位置付けられ、弁１を開く方向への弁操作軸３の１回転に伴いその回転数表示５９が１つずつ増加し、弁１が全開状態となった場合には、指標５４の位置に「３０」の回転数表示５９が位置付けられるように回転数表示５９が表記されている、ということである。
【００３５】
ここで、ウォームギヤ５３及びラック５２は、弁操作軸３の回転運動を表示板５１における弁操作軸３の軸方向に沿った直線移動運動に変換する変換機構としての回転駆動部を構成する。また、表示板５１は状態変化部を構成する。そして、指標５４及び回転数表示５９は回転表示装置を構成する。
【００３６】
このような構成において、作業者は貯水池の水位に応じてハンドル４を回転させる。すると、弁操作軸３が回転し、これに応じてウォームギヤ５３も回転する。弁操作軸３とウォームギヤ５３とは固定関係にあるために、弁操作軸３の１回転はウォームギヤ５３の１回転となる。そして、ウォームギヤ５３が回転すると、これに歯が噛み合っているラック５２が上下動する。前述したように、ウォームギヤ５３の１回転によって送られるラック５２の歯数は１つである。そして、歯数１つ分のラック５２の上下方向への移動に伴い、指標５４に指し示される回転数表示５９も１つ分増減する。したがって、指標５４が指し示す回転数表示５９をもって、弁操作軸３の回転数を作業者に示すことができる。
【００３７】
なお、本実施の形態では、弁操作軸３にウォームギヤ５３を設けたが、実施に際しては、ウォームギヤ５３に替えて円筒ウォームを弁操作軸３に取り付けても良い。
【００３８】
［第４の実施の形態］
本発明の第４の実施の形態を図６に基づいて説明する。第１の実施の形態と同一部分は同一符号で示し説明も省略する。
【００３９】
図６は、バルブ開度表示装置６０を示す正面図である。バルブ開度表示装置６０は、地表面Ｇに設置されるハウジング６１を備える。ハウジング６１の内部にはフレーム６２が設けられている。フレーム６２には歯車列６３が回転自在に取付けられている。歯車列６３は、フレーム６２に取り付けられた一対の平歯車６４ａ，６４ｂとこれらの平歯車６４ａ，６４ｂの間に介在するアイドルギヤ６５、それに弁操作軸３に固定されたピニオンギヤ６６によって構成されている。歯車列６３を構成する平歯車６４ａ，６４ｂ及びアイドルギヤ６５は、ピニオンギヤ６６と同様、弁操作軸３と平行な軸心回りに回転自在となっている。そして、一対の平歯車６４ａ，６４ｂは、同一のギヤレシオを有しており、アイドルギヤ６５を介して連結されていることから、同一回転方向に同一の角速度で回転駆動されることになる。より詳細には、弁操作軸３の回転に伴いピニオンギヤ６６が回転し、その回転が伝達されて一対の平歯車６４ａ，６４ｂが同一回転方向に同一の角速度で回転駆動される。
【００４０】
フレーム６２に回転自在に取り付けられた一対の平歯車６４ａ，６４ｂの回転軸６７ａ，６７ｂは、共に上方に延出しており、延出部分の外周面に雄ネジが切られたネジ棒６８ａ，６８ｂとして形成されている。そして、それらのネジ棒６８ａ，６８ｂには指標板６９が取り付けられている。つまり、指標板６９はその両端に雌ネジ部７０ａ，７０ｂを備え、これらの雌ネジ部７０ａ，７０ｂがネジ棒６８ａ，６８ｂに螺合し、これによって指標板６９が取り付けられている。したがって、一対の平歯車６４ａ，６４ｂが従動回転することでネジ棒６８ａ，６８ｂが回転駆動されると、指標板６９が昇降するように構成されている。
【００４１】
ハウジング６１の上面には、指標板６９の移動軌跡に沿わせて表示板７１が取り付けられている。表示板７１には、弁操作軸３の回転数に相当する数字を表示する回転数表示７２が付されている。この回転数表示７２は、「０」〜「３０」までの数字からなり、「０」は最下位位置に位置付けられ、「３０」は最上位位置に位置付けられている。そして、このような表示板７１に沿って移動する指標板６９は、例えば透明アクリル板によって形成され、矢印マークからなる指標７３が付されている。指標７３は、表示板７１に付された回転数表示７２を個々に指し示すように位置付けられている。
【００４２】
ここで重要なことは、弁１が全閉状態である場合、指標７３が「０」の回転数表示７２を指し示し、弁１を開く方向への弁操作軸３の１回転に伴いその回転数表示７２の数字が１つずつ増加し、弁１が全開状態となった場合には、指標７３が「３０」の回転数表示７２を指し示すように各部が構成されているということである。
【００４３】
上述した構成において、歯車列６３、ネジ棒６８ａ，６８ｂ及び雌ネジ部７０ａ，７０ｂは、弁操作軸３の回転運動を指標板６９の直線移動運動に変換する変換機構としての回転駆動部を構成する。また、指標板６９は状態変化部を構成する。そして、表示板７１及び指標７３は回転数表示部を構成する。
【００４４】
このような構成において、作業者は貯水池の水位に応じてハンドル４を回転させる。すると、弁操作軸３が回転し、これに応じてピニオンギヤ６６も回転する。ピニオンギヤ６６の回転は一対の平歯車６４ａ，６４ｂに伝達されるので、これらの平歯車６４ａ，６４ｂと一体に回転する一対のネジ棒６８ａ，６８ｂが回転する。これに伴い、表示板７１が昇降する。この際、弁操作軸３の１回転によって表示板７１に付された回転数表示７２の数字が１つずつ増減する。したがって、指標７３が指し示す回転数表示７２の数字をもって、弁操作軸３の回転数を作業者に示すことができる。
【００４５】
［第５の実施の形態］
本発明の第５の実施の形態を図７及び図８に基づいて説明する。第１の実施の形態と同一部分は同一符号で示し説明も省略する。
【００４６】
図７は、バルブ開度表示装置８０を示す正面図である。図８は、図７中のＡ−Ａ線断面図である。本実施の形態の開度表示装置８０は、弁操作軸３の回転動作により回転しないように設置部材８３に固定された渦巻状部材としての渦巻板８１を弁操作軸３の周囲に配置し、弁操作軸３の先端に配置されたハンドル４に取り付けられた指標部材８２を渦巻板８１の内部に落とし込んで構成されている。
【００４７】
つまり、渦巻板８１は、長方形状の薄板部材を円錐状に巻き付け、渦巻状に形成したものであり、外部から見える板部材の上縁個所に巻き数に相当する数字からなる回転数表示８４が付されている。指標部材８２は、弾性を備えた部材、例えば合成樹脂製の長い長方形部材である。指標部材８２は、その上端をハンドル４に揺動自在に取り付けられ、その下部を渦巻板８１の隣り合う板材の間に差し込まれている。このため、指標部材８２は、ハンドル４の回転に伴って渦巻板８１の隣り合う板の間をハンドル４の回転に相当する分だけ移動することになる。
【００４８】
ここで重要なことは、弁１が全閉状態である場合、指標部材８２が「０」の回転数表示８４の位置に位置付けられ、弁１を開く方向への弁操作軸３の１回転に伴いその回転数表示７２の数字が１つずつ増加し、弁１が全開状態となった場合には「３０」の回転数表示７２の位置に位置付けられるように指標部材８２が渦巻板８１の隣り合う板材の間に差し込まれているということである。
【００４９】
このような構成において、作業者は貯水池の水位に応じてハンドル４を回転させる。すると、ハンドル４に上端が取り付けられた指標部材８２がハンドル４に連れ回され、渦巻板８１の隣り合う板の間をハンドル４の回転に相当する分だけ移動する。これにより、指標部材８２は、移動した位置に表示されている回転数表示８４の数字を指し示すことになる。この場合、ハンドル４の回転数と回転数表示８４における数字の増減値とは完全に一致しているため、指標部材８２が指し示している回転数表示８４の数字は、弁操作軸３の回転数ということになる。したがって、指標部材８２が指し示す回転数表示８４の数字をもって、弁操作軸３の回転数を作業者に示すことができる。
【００５０】
なお、本実施の形態においては、渦巻板８１を地表面Ｇに対して固定し、指標部材８２を弁操作軸３の回転に従って回転させるものとしたが、実施に当たっては、その逆として構成しても良い。つまり、渦巻板８１を弁操作軸３に取り付け、指標部材８２を地表面Ｇに対して固定するようにしても良い、
また、実施に際しては、指標部材８２として、例えばハンドル４に結んだ糸や紐の下端に錘を固定し、このような糸や紐を渦巻板８１の隣り合う板の間に差し込んでも良い。
【図面の簡単な説明】
【００５１】
【図１】本発明の第１の実施の形態を示すバルブ開度表示装置の正面図である。
【図２】バルブ開度表示装置の平面図である。
【図３】バルブ開度表示装置に用いられる平歯車の拡大平面図である。
【図４】本発明の第２の実施の形態を示すバルブ開度表示装置の正面図である。
【図５】本発明の第３の実施の形態を示すバルブ開度表示装置の正面図である。
【図６】本発明の第４の実施の形態を示すバルブ開度表示装置の正面図である。
【図７】本発明の第５の実施の形態を示すバルブ開度表示装置の正面図である。
【図８】図７中のＡ−Ａ線断面図である。
【符号の説明】
【００５２】
１  弁
３  弁操作軸
１２  平歯車（移動体）
１３、２４、５９、７２、８４  回転数表示（回転数表示部）
１５  指標歯（回転駆動部、指標）
２１  軸
２２  平歯車（移動体）
２３  雄ネジ部
２６  指標歯（回転駆動部、指標）
５１  表示板（状態変化部、移動体）
５３  ウォームギヤ（回転駆動部）
５４  指標（回転数表示部）
６６  ピニオンギヤ（回転駆動部）
６９  指標板（状態変化部、移動体）
７３  指標（回転数表示部）
８１  渦巻板（渦巻状部材）
８２  指標部材
【図１】
2007218316.tif 000003
【図２】
2007218316.tif 000004
【図３】
2007218316.tif 000005
【図４】
2007218316.tif 000006
【図５】
2007218316.tif 000007
【図６】
2007218316.tif 000008
【図７】
2007218316.tif 000009
【図８】
2007218316.tif 000010